(57)【要約】【課題】コルゲートチューブによって電線が損傷することを未然に防ぐ。【解決手段】本発明は、コネクタハウジング３０の後端面３１から引き出された電線Ｗをその引き出し方向とは異なる方向に導く電線カバー１０であって、コネクタハウジング３０の後端面３１を覆うようにして取り付けられるカバー本体１２と、電線Ｗをカバー本体１２の内部から外部に導出する電線導出口１４の開口縁部から電線Ｗの導出方向に延びて電線Ｗを受ける電線受け部１６と、電線受け部１６において電線Ｗの導出方向先端側に設けられ、結束バンドＢによって電線Ｗと共に巻き付けられあるいはこの電線Ｗを内部に収容したコルゲートチューブＴと共に巻き付けられることで電線Ｗを電線受け部１６に固定する巻き付け部１７と、電線受け部１６に設けられ、コルゲートチューブＴの端部が目標位置に至ったことを検知させる目標壁１８ａとを備えた構成としたところに特徴を有する。【選択図】図１
2008288155.tif 000002
【特許請求の範囲】
【請求項１】
コネクタハウジングの後端面から引き出された電線をその引き出し方向とは異なる方向に導く電線カバーであって、
前記コネクタハウジングの後端面を覆うようにして取り付けられるカバー本体と、
前記電線を前記カバー本体の内部から外部に導出する電線導出口の開口縁部から前記電線の導出方向に延びて前記電線を受ける電線受け部と、
前記電線受け部において前記電線の導出方向先端側に設けられ、結束具によって前記電線と共に巻き付けられあるいはこの電線を内部に収容した保護チューブと共に巻き付けられることで前記電線を前記電線受け部に固定する巻き付け部と、
前記電線受け部に設けられ、前記保護チューブの端部が目標位置に至ったことを検知させる目標壁とを備えた電線カバー。
【請求項２】
前記目標壁は、前記電線受け部を前記電線の導出方向と交差する方向に切り欠くことで形成され、前記目標壁のうち前記切り欠き方向における端縁が前記保護チューブの端部と一致することで前記目標位置に至ったことを検知させる請求項１に記載の電線カバー。
【請求項３】
前記電線受け部における前記電線との接触面は、前記電線の導出方向に沿って平坦となるように形成されている請求項１又は請求項２に記載の電線カバー。
【請求項４】
前記電線受け部は、前記保護チューブを両側から挟んで保持する一対の保持片を備えている請求項１ないし請求項３のいずれか一項に記載の電線カバー。
【請求項５】
前記巻き付け部は、前記電線の導出方向に所定間隔を空けて一対設けられ、前記巻き付け部に巻き付けられた結束具が外れることを規制する規制壁を備える請求項１ないし請求項４のいずれか一項に記載の電線カバー。
【発明の詳細な説明】
【技術分野】
【０００１】
本発明は、コネクタハウジングの後端面から引き出された電線をその引き出し方向とは異なる方向に導く電線カバーに関する。
【背景技術】
【０００２】
この種の電線カバーとしては、例えば下記特許文献１に記載の電線カバーが知られている。この電線カバーは、コネクタハウジングの後端面に取り付けられるカバー本体と、このカバー本体の電線導出口から外部に導出された電線と共に巻き付けられて電線をカバー本体に固定する巻き付け部とを備えている。
【特許文献１】特開２００２−３４３４９７公報
【発明の開示】
【発明が解決しようとする課題】
【０００３】
ところで、電線カバーが取り付けられたコネクタの設置場所によっては、他の配線や駆動部等との干渉を避けるために、電線を保護チューブの内部に収容し、この保護チューブを巻き付け部に固定する場合がある。このような保護チューブとしては、一般にコルゲートチューブがよく用いられる。しかしながら、コルゲートチューブの端部は、その切断方法によっては鋭端状となる場合があり、そのような場合にコルゲートチューブをカバー本体の内部深くまで入れてしまうと、コルゲートチューブの端部が電線に接触して電線が損傷する等のおそれがある。
本発明は上記のような事情に基づいて完成されたものであって、電線を巻き付け部に直接固定することを可能にしつつ、保護チューブを用いて固定する場合には、保護チューブによって電線が損傷することを未然に防ぐことを目的とする。
【課題を解決するための手段】
【０００４】
本発明は、コネクタハウジングの後端面から引き出された電線をその引き出し方向とは異なる方向に導く電線カバーであって、コネクタハウジングの後端面を覆うようにして取り付けられるカバー本体と、電線をカバー本体の内部から外部に導出する電線導出口の開口縁部から電線の導出方向に延びて電線を受ける電線受け部と、電線受け部において電線の導出方向先端側に設けられ、結束具によって電線と共に巻き付けられあるいはこの電線を内部に収容した保護チューブと共に巻き付けられることで電線を電線受け部に固定する巻き付け部と、電線受け部に設けられ、保護チューブの端部が目標位置に至ったことを検知させる目標壁とを備えた構成としたところに特徴を有する。
【０００５】
このような構成によると、電線を結束具により巻き付け部に直接固定することができることに加えて、保護チューブを用いる場合には、保護チューブの端部が目標位置に至ったことを目標壁によって検知した上で結束具により固定することができるから、保護チューブをカバー本体の内部深くまで入れすぎてしまうおそれがない。したがって、保護チューブの端部によって電線が損傷することを未然に防ぐことができる。
【０００６】
本発明の実施態様として、以下の構成が好ましい。
目標壁は、電線受け部を電線の導出方向と交差する方向に切り欠くことで形成され、目標壁のうち切り欠き方向における端縁が保護チューブの端部と一致することで目標位置に至ったことを検知させる構成としてもよい。このような構成によると、目標壁のうち切り欠き方向における端縁と保護チューブの端部とを一致させることにより、目標位置に至ったことを容易に検知することができる。
【０００７】
電線受け部における電線との接触面は、電線の導出方向に沿って平坦となるように形成されている構成としてもよい。このような構成によると、保護チューブを用いないで電線を巻き付け部に直接固定する場合に、結束具による巻き付けに伴って電線が接触面に押し当てられても、電線が接触面によって損傷するおそれがない。
【０００８】
電線受け部は、保護チューブを両側から挟んで保持する一対の保持片を備えている構成としてもよい。このような構成によると、保護チューブを両保持片によって保持した状態で結束具を用いて巻き付けを行うことができるから、巻き付け作業がし易くなる。
【０００９】
巻き付け部は、電線の導出方向に所定間隔を空けて一対設けられ、巻き付け部に巻き付けられた結束具が外れることを規制する規制壁を備える構成としてもよい。このような構成によると、保護チューブが結束具によって巻き付け部に巻き付けられた状態で保護チューブが電線の導出方向に引っ張られる等しても、規制壁によって結束具が外れることが規制される。
【発明の効果】
【００１０】
本発明の電線カバーによると、電線を巻き付け部に直接固定することを可能にしつつ、保護チューブを用いて固定する場合には、保護チューブによって電線が損傷することを未然に防ぐことができる。
【発明を実施するための最良の形態】
【００１１】
＜実施形態１＞
本発明の実施形態１を図１ないし図８によって説明する。
本実施形態における電線カバー１０は、図１に示すように、コネクタハウジング３０の後端面３１に取り付けられて、その後端面３１から引き出された電線Ｗをその引き出し方向とは異なる方向に導くために用いられる。尚、図１においては、電線Ｗがコルゲートチューブ（本発明の「保護チューブ」の一例）Ｔに収容された状態で結束バンド（本発明の「結束具」の一例）Ｂによって電線カバー１０に固定された状態を示しているものの、後述するように、コルゲートチューブＴを用いないで電線Ｗを結束バンドＢで電線カバー１０に直接固定することもできるように構成されている。尚、コルゲートチューブＴ及び結束バンドＢは、いずれも周知の構成である。
【００１２】
まず、コネクタハウジング３０の構成について説明する。コネクタハウジング３０は合成樹脂製で、図３及び図４に示すように、横長略方形のブロック状をなしている。コネクタハウジング３０の内部には、前後方向に貫通する大小２種類のキャビティ３２が設けられている。本実施形態においては、大キャビティ３２が小キャビティ３２群の幅方向両側に位置して設けられている。また、キャビティ３２の略後半には、ゴム栓（図示せず）を収容する大小２種類のゴム栓収容筒３３がコネクタハウジング３０の後端面から後方に突出して設けられている。
【００１３】
キャビティ３２内には、ゴム栓と共に電線Ｗの端末に接続された端子金具（図示せず）が後方から挿入可能となっており、この端子金具がキャビティ３２内の正規の挿入位置に至ると、キャビティ３２内に設けられたランス（図示せず）が係止することで抜止がなされる。端子金具がキャビティ３２内の正規挿入位置にある状態では、ゴム栓が電線Ｗの外周面とゴム栓収容筒３３の内周面との間で圧縮状態で収容されると共に、電線Ｗがゴム栓収容筒３３の後端から後方に引き出された状態となる。
【００１４】
コネクタハウジング３０の後端面３１には、電線カバー１０を固定するための図示４つのカバーロック部３４が設けられている。各カバーロック部３４は、それぞれコネクタハウジング３０の後端面３１においてゴム栓収容筒３３群の外側に位置している。カバーロック部３４は、コネクタハウジング３０の後端面３１から後方に立ち上がる支持壁３４ａと、その支持壁３４ａの後端において外向きに突出して設けられたロック突部３４ｂとから構成されている。尚、支持壁３４ａの突出高さは、大型のゴム栓収容筒３３の突出高さとほぼ同じである。
【００１５】
次に、電線カバー１０の構成について説明する。尚、電線カバー１０の説明においては、コネクタハウジング３０の後端面３１に取り付けられる側を前方とする。電線カバー１０は合成樹脂製で、図５ないし図８に示すように、コネクタハウジング３０の後端面３１を覆うようにして取り付けられるカバー本体１２を備えている。このカバー本体１２は、前方から側方にかけて開口した形状をなし、この開口は、電線Ｗをカバー本体１２の内部に進入させる電線進入口１３と電線Ｗをカバー本体１２の外部に導出させる電線導出口１４とから構成されている。すなわち、カバー本体１２の開口のうち前方に開口する部分が電線進入口１３とされ、側方に開口する部分が電線導出口１４とされている。
【００１６】
カバー本体１２の外面における電線進入口１３寄りには、コネクタハウジング３０のカバーロック部３４と係止して電線カバー１０をコネクタハウジング３０の後端面３１に取り付けられた状態に保持するカバー係止片１５が設けられている。カバー係止片１５は、図８に示すように、コネクタハウジング３０の外面と平行姿勢を保ったまま下方に突出した片持ち状に形成されている。このカバー係止片１５には、図５に示すように、板厚方向に貫通して嵌合孔１５ａが設けられている。この嵌合孔１５ａは、カバーロック部３４のロック突部３４ｂを内部に収容可能な大きさに設けられている。また、カバー係止片１５とこれに対面するカバー本体１２の外面との間は、カバーロック部３４の支持壁３４ａの板厚よりやや大きめに設けられている。これにより、図２に示すように、電線カバー１０をコネクタハウジング３０の後端面３１に取り付けると、カバーロック部３４のロック突部３４ｂの下端面とカバー係止片１５の嵌合孔１５ａを構成する周壁の下端面とが係止することにより、電線カバー１０がコネクタハウジング３０の後端面３１に固定される。
【００１７】
尚、カバーロック部３４の支持壁３４ａにおいてロック突部３４ｂが設けられている面と反対側の面には案内リブ３４ｃが設けられ、コネクタハウジング３０の外面においてカバー係止片１５と対向する面には案内リブ３４ｃが嵌入する案内溝１９が設けられている。これにより、電線カバー１０をコネクタハウジング３０の後端面３１に取り付ける際の案内が可能である。
【００１８】
さて、電線カバー１０の電線導出口１４の開口縁部には、図１に示すように、電線Ｗの導出方向に延出された電線受け部１６が一体に設けられている。電線受け部１６は、電線導出口１４から導出された電線Ｗを結束バンドＢを用いて電線カバー１０に固定するためのものである。仮に電線受け部１６がない場合には、コルゲートチューブＴを電線カバー１０に固定することができないため、コルゲートチューブＴの自由な移動を許容してしまう。ところが、コルゲートチューブＴの切断端面は、その切断方法によってはバリが発生したり、鋭端状になることがあるため、コルゲートチューブＴが電線導出口１４からカバー本体１２の内部に進入し、コネクタハウジング３０の後端面３１から引き出された電線Ｗに接触した場合には、電線Ｗが損傷する可能性がある。
【００１９】
このような事情の下、電線受け部１６における電線Ｗの導出方向先端部には、結束バンドＢによりコルゲートチューブＴと共に巻き付けられてこのコルゲートチューブＴを電線受け部１６に固定する巻き付け部１７が一体に設けられている。巻き付け部１７は電線Ｗの導出方向に突出して設けられ、巻き付け部１７の外側面には、結束バンドＢの幅よりやや大きめの間隔で電線Ｗの導出方向に離間して配置された一対の規制壁１７ａが形成されている。これにより、コルゲートチューブＴが結束バンドＢによって巻き付け部１７に固定された状態において電線Ｗの導出方向に引っ張られたりしても、規制壁１７ａによって結束バンドＢが巻き付け部１７から外れることが規制される。
【００２０】
電線受け部１６及び巻き付け部１７の内側面（電線Ｗと接触する接触面）は、図２及び図８に示すように、平坦に形成されている。この理由は、電線Ｗを巻き付け部１７に直接固定する場合に、電線Ｗが接触面によって損傷しないようにするためである。ここで、コルゲートチューブＴを巻き付け部１７に固定する方法としては、巻き付け部１７の内側面にコルゲートチューブＴの蛇腹部分に嵌り込む突起を設けることが一般に行われている。しかしながら、このようにすると、電線Ｗを巻き付け部１７に直接固定した場合に突起によって電線Ｗが損傷してしまうため、本実施形態では電線受け部１６及び巻き付け部１７の内装面をあえて平坦に形成しているのである。
【００２１】
電線受け部１６において対向状態をなす一対の側壁１８（カバー本体１２においてカバー係止片１５が設けられている側壁と連なる側壁）には、コルゲートチューブＴの外周面の一部を側方に露出させる段差部が設けられている。この段差部は、側壁１８を電線Ｗの導出方向と直交する方向に切り欠くことにより形成され、このうち電線Ｗの導出方向と直交する方向に延びる端縁１８ａが本発明でいう「目標壁」を構成している。この目標壁１８ａは、カバー本体１２と巻き付け部１７との間に位置するように設定してある。このため、コルゲートチューブＴの端部が目標壁１８ａと一致する位置を目標位置とすることで、コルゲートチューブＴがカバー本体１２の内部に進入することなく、コルゲートチューブＴを巻き付け部１７において結束バンドＢで確実に巻き付けることが可能になる。
【００２２】
本実施形態は以上のような構成であって、続いてその作用を説明する。
まず、電線カバー１０をコネクタハウジング３０の後端面３１に取り付ける。このとき、電線Ｗを内部に収容したコルゲートチューブＴは、コネクタハウジング３０の後端面３１から引き出された電線Ｗとの接触を回避するために、コネクタハウジング３０から離れた位置に移動させておく。続いて、電線Ｗが電線カバー１０の電線導出口１４から導出されるように電線Ｗの引き出し方向を約９０度曲げた状態で電線進入口１０をコネクタハウジングの後端面３１に近づける。すると、コネクタハウジング３０におけるカバーロック部３４の案内リブ３４ｃが電線カバー１０の案内溝１９に嵌入することで案内され、カバーロック部３４のロック突部３４ｂがカバー係止片１５の嵌合孔１５ａに嵌り込んで係止することで電線カバー１０がコネクタハウジング３０の後端面３１に固定される。
【００２３】
次に、予めカバー本体１２から離れた位置に移動させておいたコルゲートチューブＴを電線Ｗの外周面に沿ってカバー本体１２側に近づける。このとき、カバー本体１２の側壁１８には目標壁１８ａが設けられているから、コルゲートチューブＴの端部が目標壁１８ａと一致する目標位置まで移動させ、結束バンドＢを用いてコルゲートチューブＴを巻き付け部１７と共に巻き付けて固定することによりコルゲートチューブＴ（電線Ｗ）が電線受け部１６に固定される。このようにすると、コルゲートチューブＴがカバー本体１２の内部に深くまで進入することがないから、コネクタハウジング３０の後端面３１から引き出された電線ＷがコルゲートチューブＴの端部によって損傷するおそれがない。
【００２４】
続いて、コルゲートチューブＴを用いることなく、電線Ｗを電線カバー１０に直接固定する場合について説明する。電線カバー１０をコネクタハウジング３０の後端面３１に取り付ける作業についてはコルゲートチューブＴを用いる場合と同様であるため、その説明を省略する。結束バンドＢを用いて電線Ｗを巻き付け部１７と共に巻き付けて固定することにより電線Ｗを電線受け部１６に直接固定することができる。このとき、電線受け部１６の内側面は平坦に形成されているため、電線Ｗが電線受け部１６の内側面によって損傷するおそれがない。
【００２５】
また、上記いずれの場合であっても、巻き付け部１７において結束バンドＢの両側には一対の規制壁１７ａが設けられているため、電線ＷあるいはコルゲートチューブＴが引っ張られる等しても、結束バンドＢが巻き付け部１７から外れて結束バンドＢによる固定状態が解除されるおそれがない。
【００２６】
以上のように本実施形態では、電線Ｗを結束バンドＢにより巻き付け部１７に直接固定することができることに加えて、コルゲートチューブＴを用いる場合には、コルゲートチューブＴの端部が目標壁１８ａと一致することで目標位置に至ったを知ることができる。したがって、コルゲートチューブＴをカバー本体１２の内部深くまで入れすぎてしまうおそれがなく、コルゲートチューブＴの端部によって電線Ｗが損傷することを未然に防ぐことができる。
【００２７】
また、電線受け部１６及び巻き付け部１７の内側面が平坦に形成されているため、コルゲートチューブＴを用いないで電線Ｗを巻き付け部１７に直接固定する場合に、結束バンドＢによる巻き付けに伴って電線Ｗが巻き付け部１７の内側面に押し当てられても、損傷するおそれがない。
【００２８】
さらに、コルゲートチューブＴが結束バンドＢによって巻き付け部１７に巻き付けられた状態でコルゲートチューブＴが電線Ｗの導出方向に引っ張られる等しても、規制壁１７ａによって結束バンドＢが巻き付け部１７から外れるおそれがない。
【００２９】
＜実施形態２＞
次に、本発明の実施形態２を図９によって説明する。
本実施形態における電線カバー２０は、実施形態１における電線カバー１０の側壁１８の構成を一部変更したものであって、その他の重複する構成、その作用、効果については説明を省略する。すなわち、電線カバー２０の側壁１８は、図９に示すように、側壁１８において目標壁１８ａより巻き付け部１７側の部分を下方に延長し、その延長部分がコルゲートチューブＴの外周面に沿ってやや内側に向けて形成することにより一対の保持片１８ｂを設けたものである。このとき、両保持片１８ｂ間の最短距離は、コルゲートチューブＴの外径よりやや小さめとなるように設定してある。このようにすると、コルゲートチューブＴを両保持片１８ｂ間で支持することができるため、結束バンドＢでコルゲートチューブＴを巻き付け部１７と共に巻き付ける際に、コルゲートチューブＴが動かないように手で押さえておく必要がないため、結束バンドＢによる固定作業をし易くなる。
【００３０】
＜他の実施形態＞
本発明は上記記述及び図面によって説明した実施形態に限定されるものではなく、例えば次のような実施形態も本発明の技術的範囲に含まれる。
（１）本実施形態では側壁１８に段差部を形成してコルゲートチューブＴの外周面を側方に露出させるようにして目標壁１８ａを設けているものの、本発明によると、側壁１８において目標壁１８ａが形成される部分だけをスリット状に切り欠くことにより形成してもよい。
【００３１】
（２）本実施形態では側壁１８を電線Ｗの導出方向と交差する方向に切り欠くことにより形成しているものの、本発明によると、側壁１８に貫通孔を設け、この貫通孔の内周壁を目標壁１８ａとすることにより、貫通孔を通じてコルゲートチューブＴの端部の位置を確認してもよい。
【００３２】
（３）本実施形態では目標壁１８ａに対して目視でコルゲートチューブＴの端部を位置合わせするものを例示しているものの、本発明によると、目標壁１８ａに対してコルゲートチューブＴの端部を突き当てるようにしてもよい。
【００３３】
（４）本実施形態では結束具として結束バンドＢを例示しているものの、本発明によると、結束具として他の部材を用いてもよく、例えばテープ巻により固定してもよい。
【００３４】
（５）実施形態２では両保持片１８ｂをコルゲートチューブＴの外周面に沿ってやや内側に向けて形成しているものの、本発明によると、両保持片１８ｂをコルゲートチューブＴの外径よりも小さい間隔で平行となるように形成することで、コルゲートチューブＴが両保持片１８ｂ間で圧入状態で保持される構成としてもよい。
【００３５】
（６）本実施形態では規制壁１７ａが一対設けられているものの、本発明によると、規制壁１７ａを巻き付け部１７の先端側に１ヶ所だけ設けてもよい。
【図面の簡単な説明】
【００３６】
【図１】実施形態１における電線カバーによってコルゲートチューブが固定された状態を示した側面図
【図２】その背面図
【図３】その底面図
【図４】コネクタハウジングの斜視図
【図５】電線カバーの側面図
【図６】その正面図
【図７】その背面図
【図８】その上面図
【図９】実施形態２における電線カバーの上面図
【符号の説明】
【００３７】
１０、２０…電線カバー
１２…カバー本体
１４…電線導出口
１６…電線受け部
１７…巻き付け部
１７ａ…規制壁
１８ａ…目標壁
３０…コネクタハウジング
３１…コネクタハウジングの後端面
Ｂ…結束バンド（結束具）
Ｔ…コルゲートチューブ（保護チューブ）
Ｗ…電線
【図１】
2008288155.tif 000003
【図２】
2008288155.tif 000004
【図３】
2008288155.tif 000005
【図４】
2008288155.tif 000006
【図５】
2008288155.tif 000007
【図６】
2008288155.tif 000008
【図７】
2008288155.tif 000009
【図８】
2008288155.tif 000010
【図９】
2008288155.tif 000011